(57)【要約】【課題】測定開始時の気体流量の急激な増大に対しても、損傷等を生ずることなく、対処を可能とする。【解決手段】テーパ管１１の内部にはフロート１２が挿入され、テーパ管１１の上部にはストッパ１６が配置され、ストッパ１６の上方には空間部１７が設けられている。また、空間部１７の上部の隔壁１８には絞り孔１９が形成され、空間部１７内には上下に浮遊可能で急激な被測定流体の気体流量の増大があると、上昇して絞り孔１９を閉塞する絞り弁２０が配置されている。  測定開始時に管路のバルブが開かれ、気体が急激にテーパ管１１内に流入すると、フロート１２も上昇するが、絞り弁２０も急上昇し、絞り弁２０は絞り孔１９を閉塞する。これにより、気体の流入が阻止されるので、フロート１２のストッパ１６への衝撃値が小さくなり、テーパ管１１等が損傷することがなくなる。【選択図】図１
2011102773.tif 000002
【特許請求の範囲】
【請求項１】
鉛直方向に支持したテーパ管内に、前記テーパ管内を流れる被測定流体である気体の流量に依存して上下方向に変位するフロートを配置し、該フロートの上下方向位置を検知することにより気体の流量を求める面積流量計において、前記テーパ管の上部に空間部を設け、該空間部の上部に絞り孔を形成し、該空間部の内部に、前記流量が急激に増大すると上昇し、前記絞り孔を閉塞又は半閉塞する絞り弁を配置したことを特徴とする面積流量計。
【請求項２】
前記空間部の下部に前記フロートに対するストッパを設けたことを特徴とする請求項１に記載の面積流量計。
【請求項３】
前記絞り弁は通常の流量時においては前記空間部内に沈降していることを特徴とする請求項２に記載の面積流量計。
【発明の詳細な説明】
【技術分野】
【０００１】
本発明は、電磁弁などによる断続運転による急激な流量の増大時において、損傷防止機能を有する気体用の面積流量計に関するものである。
【背景技術】
【０００２】
図３は従来の面積流量計の断面図を示し、鉛直方向に支持されて成るテーパ管１内に、下方の流入口２から上方の流出口３に向けて被測定流体を流し、このテーパ管１内を流れる流量に依存して、上下方向に変位するフロート４をテーパ管１内に設け、フロート４の上下方向位置を検出することにより流量を求めている。
【０００３】
この面積流量計は構造が簡素で使い易く、基本的に電源が不要であり、応答性が良く微小な流量の測定に適し、更には低コストである等の長所があって、広く実用に供せられている。
【先行技術文献】
【特許文献】
【０００４】
【特許文献１】実開昭６３−８４５１７号公報
【発明の概要】
【発明が解決しようとする課題】
【０００５】
しかし、例えば測定開始時において、被測定流体である気体を制御するバルブを急に全閉から全開にすると、テーパ管１内を気体が急激に流れ始め、フロート４が急上昇するので、テーパ管１の上方にはフロート４の上昇を停止させるストッパ５を設けることがある。
【０００６】
気体の流量が急激に増大すると、フロート４はストッパ５に衝突して強制的に停止させられることになるが、その衝撃力が大きい場合には、ガラスや合成樹脂から成るテーパ管１を破損したり、ストッパ５を変形させたりする不具合が発生することがある。
【０００７】
特許文献１には、このような急激な気体流量の増加に対して、ダンパを設けて衝撃を吸収することが開示されているが、機構が複雑となりコストも高くなる。
【０００８】
本発明の目的は、上述の問題点を解消し、測定開始時の気体の急激な増大に対しても、損傷等が生ずることなく対処可能な気体用の面積流量計を提供することにある。
【課題を解決するための手段】
【０００９】
上記目的を達成するための本発明に係る面積流量計は、鉛直方向に支持したテーパ管内に、前記テーパ管内を流れる被測定流体である気体の流量に依存して上下方向に変位するフロートを配置し、該フロートの上下方向位置を検知することにより気体の流量を求める面積流量計において、前記テーパ管の上部に空間部を設け、該空間部の上部に絞り孔を形成し、該空間部の内部に、前記流量が急激に増大すると上昇し、前記絞り孔を閉塞又は半閉塞する絞り弁を配置したことを特徴とする。
【発明の効果】
【００１０】
本発明に係る面積流量計によれば、気体流量の急激増大時に作用する絞り弁をテーパ管の上方に設けることにより、テーパ管内の流量を減少させてフロートの急上昇を防止する。
【図面の簡単な説明】
【００１１】
【図１】実施例の断面図である。
【図２】絞り弁の作用時の断面図である。
【図３】従来例の断面図である。
【発明を実施するための形態】
【００１２】
本発明を図１、図２に図示の実施例に基づいて詳細に説明する。
図１は気体流量測定用の面積流量計の断面図を示し、鉛直方向に支持され、上方に進むにつれ拡開されたテーパ管１１の内部には、流量の大きさに従って上下動するフロート１２が挿入されている。テーパ管１１の上下端にはねじ溝１３、１４が刻設され、それぞれ図示しない排出管、流入管が接続されている。被測定流体は下部の流入管から矢印方向に流入し、テーパ管１１を経て上部の流出管に向かうようになっている。
【００１３】
テーパ管１１の上部には、サポート１５を介してクッション性を有するストッパ１６が配置され、ストッパ１６の上方には空間部１７が設けられている。また、空間部１７の上部には隔壁１８が設けられ、隔壁１８には円形の絞り孔１９が形成されている。そして、空間部１７内には、上下に浮遊可能な例えば球形状の絞り弁２０が挿入されている。
【００１４】
絞り弁２０の径は絞り孔１９の径よりも十分に大きく、絞り弁２０は急激な流量の増大があると、上昇して絞り孔１９を閉塞するようにされている。絞り弁２１は通常の状態で、空間部１７内に浮遊していてもよいが、流量の安定性の観点からは、常時はサポート１５上に自重で沈降していることが好ましい。
【００１５】
通常の流量の場合の測定時においては、フロート１２は図１に示すように、テーパ管１１とフロート１２の間隙の面積と、フロート１２の重量と流量とが平衡した高さ位置に上昇している。そして、このフロート１２の高さ位置を目視又は電気的に発信することにより、流量を検出することができるようになっている。
【００１６】
しかし、管路のバルブが開かれ、測定開始時に被測定気体が急激にテーパ管１１内に流入すると、テーパ管１１の内圧が急上昇し、図２に示すように、フロート１２も上昇するが、絞り弁２０も急上昇して隔壁１８に当接し、絞り孔１９を閉塞する。これにより、被測定気体の流入が阻止されるので、フロート１２の上下における差圧が小さくなり、フロート１２のストッパ１６への衝撃値が小さくなり、テーパ管１１等が損傷することがなくなる。
【００１７】
なお、絞り弁２０による閉塞によってテーパ管１１内への気体の流入が停止し、テーパ管１１の内圧が低下すると、絞り弁２０は自重で下降する。これにより、絞り孔１９は開放されるので気体が再び流れ始め、フロート１２による通常の流量検出が可能となる。
【００１８】
実施例において、絞り孔１９は絞り弁２０により閉塞されるようにしているが、完全な閉塞ではなく、例えば絞り孔１９を角形として、半閉塞により流量が減少するように作用させても、ほぼ同様な効果が得られる。
【００１９】
また、絞り弁２１の形状は球形とは限らず、例えば円錐形にするなどして、確実に作動して、絞り孔１９を閉塞又は半閉塞できるものであればよい。また、絞り弁２０の上下動はガイドに沿ってなされるようにして、絞り弁２０の遊動を防止し、測定時におけるフロート１２を安定に作動させるようにすることもできる。
【符号の説明】
【００２０】
１１  テーパ管
１２  フロート
１５  サポート
１６  ストッパ
１７  空間部
１９  絞り孔
２０  絞り弁
【図１】
2011102773.tif 000003
【図２】
2011102773.tif 000004
【図３】
2011102773.tif 000005